(57)【要約】【課題】コピー機能及びファクシミリ通信機能を備えた画像形成装置には、読取用、記録用、通信用と少なくとも３つのハードコーデックが実装されており、このハードコーデックは中々高価で、本発明では、ハードコーデックの実装数を削減して、少ないハード資源で十分な処理動作を実現することを課題とする。【解決手段】画像形成装置（複合機１）の制御部に、エンコード処理又はデコード処理を行う２つのハードコーデック１５Ａ、１５Ｂと、ソフトウェアの実行によってエンコード／デコード処理を行う１つのソフトコーデック１２ａと、各処理機能と使用するコーデック１２ａ・１５Ａ・１５Ｂとを関連付けた複数の使用パターンを記憶する記憶手段１３ａと、使用パターンを選択するための切替手段と、切替手段により選択された使用パターンを参照することにより、使用するコーデック１２ａ・１５Ａ・１５Ｂを決定する制御手段を設ける。【選択図】  図１
2004153769.tif 000002
【特許請求の範囲】
【請求項１】
画像読取部と画像記録部とファクシミリ通信部とを備え、コピー機能及びファクシミリ通信機能が実行可能な画像形成装置であって、
画情報のエンコード／デコード処理が実行可能な２つのハードコーデックと、
ソフトウェアの実行によってエンコード／デコード処理を行う１つのソフトコーデックと、
各処理機能と使用するコーデックとを関連付けた複数の使用パターンを記憶する記憶手段と、
使用パターンを選択するための切替手段と、
切替手段により選択された使用パターンを参照することにより、使用するコーデックを決定する制御手段と、
を備えたことを特徴とする画像形成装置。
【請求項２】
請求項１に記載の画像形成装置において、前記記憶手段には、使用パターンとして、一方のハードコーデックを通信用に、他方のハードコーデックを読取／記録用に設定するパターンを記憶することを特徴とする画像形成装置。
【請求項３】
請求項１、又は請求項２に記載の画像形成装置において、前記記憶手段には、使用パターンとして、ソフトコーデックを通信用に、一方のハードコーデックを読取用に、他方のハードコーデックを記録用に設定するパターンを記憶することを特徴とする画像形成装置。
【請求項４】
前記一方のハードコーデックを通信用に、他方のハードコーデックを読取／記録用に設定する使用パターンを備えた画像形成装置において、前記制御手段は、ファクシミリ受信で、一方のハードコーデックを使っての符号変換中に、コピー要求が発生した場合、他方のハードコーデックを使ってのファクシミリ記録が終了するまで、コピー読取りを待機し、該他方のハードコーデックによるファクシミリ記録が全て終わり次第、空きとなった該他方のハードコーデックを使ってコピー読取りを開始するように制御することを特徴とする請求項２、又は請求項３に記載の画像形成装置。
【請求項５】
前記一方のハードコーデックを通信用に、他方のハードコーデックを読取／記録用に設定する使用パターンを備えた画像形成装置において、前記制御手段は、ファクシミリ受信で、一方のハードコーデックを使っての符号変換中に、コピー要求が発生した場合、該一方のハードコーデックを使っての符号変換は継続して行うとともに、他方のハードコーデックを使ってのファクシミリ記録を頁単位で中断し、これにより空きとなった他方のハードコーデックを使ってコピー読取りを開始し、該他方のハードコーデックによるコピー読取りが全て終わり次第、空きとなった該他方のハードコーデックを使ってコピー記録を開始し、該他方のハードコーデックによるコピー記録が全て終わり次第、空きとなった該他方のハードコーデックを使って中断していたファクシミリ記録を再開するように制御することを特徴とする請求項２、又は請求項３に記載の画像形成装置。
【請求項６】
前記一方のハードコーデックを通信用に、他方のハードコーデックを読取／記録用に設定する使用パターンを備えた画像形成装置において、前記制御手段は、ファクシミリ受信で、一方のハードコーデックを使っての符号変換中に、コピー要求が発生した場合、該一方のハードコーデックを使っての符号変換は継続して行うとともに、他方のハードコーデックを使ってのファクシミリ記録を継続して行い、該一方のハードコーデックによる符号変換が全て終わり次第、空きとなった該一方のハードコーデックを使ってコピー読取りを開始し、該他方のハードコーデックによるファクシミリ記録が全て終わり次第、空きとなった該他方のハードコーデックを使ってコピー記録を開始するように制御する制御パターンを備えたことを特徴とする請求項２、又は請求項３に記載の画像形成装置。
【請求項７】
前記一方のハードコーデックを通信用に、他方のハードコーデックを読取／記録用に設定する使用パターンを備えた画像形成装置において、前記制御手段は、ファクシミリ送信で、他方のハードコーデックを使ってのファクシミリ読取り中に、コピー要求が発生した場合、該他方のハードコーデックを使ってのファクシミリ読取りが終了するまで、コピー読取りを待機し、該他方のハードコーデックによるファクシミリ読取りが全て終わり次第、空きとなった該他方のハードコーデックを使ってコピー読取りを開始し、該他方のハードコーデックによるコピー読取りが全て終わり次第、空きとなった該他方のハードコーデックを使ってコピー記録を開始するように制御することを特徴とする請求項２、又は請求項３に記載の画像形成装置。
【請求項８】
前記一方のハードコーデックを通信用に、他方のハードコーデックを読取／記録用に設定する使用パターンを備えた画像形成装置において、前記制御手段は、他方のハードコーデックを使ってのコピー処理中に、ファクシミリ受信が発生した場合、該他方のハードコーデックを使ってのコピー読取り、又はコピー記録と並行して、一方のハードコーデックを使ってファクシミリ受信での符号変換を行い、該他方のハードコーデックによるコピー読取りを全て終えてコピー記録まで全て終わり次第、空きとなった該他方のハードコーデックを使って、ファクシミリ記録を開始するように制御することを特徴とする請求項２、又は請求項３に記載の画像形成装置。
【請求項９】
前記ソフトコーデックを通信用に、一方のハードコーデックを読取用に、他方のハードコーデックを記録用に設定する使用パターンを備えた画像形成装置において、前記制御手段は、ファクシミリ受信で、ソフトコーデックを使っての符号変換中に、コピー要求が発生した場合、該ソフトコーデックを使っての符号変換、又は他方のハードコーデックを使ってのファクシミリ記録と並行して、一方のハードコーデックを使ってコピー読取りを開始し、該他方のハードコーデックによるファクシミリ記録が全て終わり次第、空きとなった該他方のハードコーデックを使って、コピー記録を開始するように制御することを特徴とする請求項３に記載の画像形成装置。
【請求項１０】
前記ソフトコーデックを通信用に、一方のハードコーデックを読取用に、他方のハードコーデックを記録用に設定する使用パターンを備えた画像形成装置において、前記制御手段は、ファクシミリ受信で、ソフトコーデックを使っての符号変換中に、コピー要求が発生した場合、該ソフトコーデックを使ってのファクシミリ受信での符号変換、又は他方のハードコーデックを使ってのファクシミリ記録と並行して、一方のハードコーデックを使ってコピー読取りを開始し、該他方のハードコーデックを使ってのファクシミリ記録を頁単位で中断し、これにより空きとなった該他方のハードコーデックを使ってコピー記録を開始し、該他方のハードコーデックによるコピー記録が全て終わり次第、空きとなった該他方のハードコーデックを使って、中断していたファクシミリ記録を再開するように制御することを特徴とする請求項３に記載の画像形成装置。
【請求項１１】
前記ソフトコーデックを通信用に、一方のハードコーデックを読取用に、他方のハードコーデックを記録用に設定する使用パターンを備えた画像形成装置において、前記制御手段は、ファクシミリ送信で、一方のハードコーデックを使ってのファクシミリ読取り中に、コピー要求が発生した場合、該一方のハードコーデックを使ってのファクシミリ読取りが終了するまで、コピー読取りを待機し、該一方のハードコーデックによるファクシミリ読取りが全て終わり次第、空きとなった該一方のハードコーデックを使ってコピー読取りを開始し、この一方のハードコーデックによるコピー読取りと並行して、他方のハードコーデックを使ってコピー記録を実行するように制御することを特徴とする請求項３に記載の画像形成装置。
【請求項１２】
前記ソフトコーデックを通信用に、一方のハードコーデックを読取用に、他方のハードコーデックを記録用に設定する使用パターンを備えた画像形成装置において、前記制御手段は、一方のハードコーデック、又は他方のハードコーデックを使ってのコピー処理中に、ファクシミリ受信が発生した場合、該一方のハードコーデックを使ってのコピー読取り、又は該他方のハードコーデックを使ってのコピー記録と並行して、ソフトコーデックを使ってファクシミリ受信での符号変換を行い、該他方のハードコーデックを使ってのコピー記録が全て終わり次第、空きとなった該他方のハードコーデックを使って、ファクシミリ記録を開始するように制御することを特徴とする請求項３に記載の画像形成装置。
【発明の詳細な説明】
【０００１】
【発明の属する技術分野】
本発明は、コピー・ファクシミリ複合機等の画像形成装置に関し、詳しくは、画像形成装置におけるコピー処理、やファクシミリ通信処理など複数の処理を効率良く実行する技術に関する。
【０００２】
【従来の技術】
近年、コピー機や、ファクシミリ装置、コピー・ファクシミリ複合機等の画像形成装置には、複数の処理機能が設けられており、例えば、コピー・ファクシミリ複合機では、スキャナ機能、プリンタ機能、ファクシミリ通信機能、コピー機能を備えている。
この複合機の制御部は、制御手段であるＣＰＵ、ＲＯＭ、ＲＡＭ、画像メモリ（ＤＲＡＭ）、画像読取部、画像記録部、ハードコーデック等を備えており、該ハードコーデックは読取用、記録用、通信用と少なくとも３つ実装されている。このハードコーデックは符号化器として機能して、画像読取部で読取られた画情報を、ＭＨ、ＭＲ、ＭＭＲ方式等により符号化圧縮（エンコード処理）し、また、復号器としても機能して、前記符号化した画情報を、復号伸張（デコード処理）する。
【０００３】
例えば、コピーを行う場合には、複合機の動作モードをコピーモードに切り替えて、フラットベッド上、又はＡＤＦに原稿をセットし、スタートキーを押して、コピー操作を実行すると、ＣＰＵから、３つのハードコーデックのうち、読取用のハードコーデックと、記録用のハードコーデックに制御指令が出力される。そして、フラットベッド上、又はＡＤＦにセットされた原稿は画像読取部で読取られて、その画情報は読取用のハードコーデックによりエンコード処理されて、ページ単位で画像メモリに格納されつつ、このエンコード処理されたデータは記録用のハードコーデックにページ単位で出力されてデコード処理され、画像記録部で記録紙に記録される。
【０００４】
そして、この複合機でコピー動作中に、相手機からファクシミリ受信があったり、時刻指定送信などによるファクシミリ送信動作の要求が発生したりすると、ＣＰＵから、通信用のハードコーデックに制御指令が出力され、該通信用ハードコーデックにより、必要に応じて符号変換処理が行われて、コピー処理と並行して受信、又は送信に係る通信処理が行われる。
【０００５】
ここで、この符号変換処理とは、ファクシミリ送信時、画像メモリに第１のフォーマットで格納されている送信画情報を一旦デコードした後、送信用フォーマットである第２のフォーマットにエンコードする一連の処理、又はファクシミリ受信時、第２のフォーマットで送信されてきた受信画情報を一旦デコードした後、画像メモリに格納するための第１のフォーマットにエンコードする一連の処理のことである。
以上のように３つのハードコーデックをフルに使用することで、コピー処理とファクシミリ通信処理とを同時に実行させ、処理時間の短縮が図られている。
【０００６】
【発明が解決しようとする課題】
ところで、統計によると、これら複合機の諸機能はユーザによって使用頻度が大きく異なり、ファクシミリ通信機能に関しては、ほとんど使用しないユーザも比較的多い。このファクシミリ通信機能を稀に使用する場合であっても、通信にある程度の性能を確保してファクシミリ通信機能を持たせるためには、通信用のハードコーデックを実装しておく必要がある。
【０００７】
しかしながら、このハードコーデックを構成する集積回路（ＩＣ）は中々高価であり、コスト削減の観点から、一部のハードコーデックがソフトコーデックで代用されている複合機も存在する。このソフトコーデックは複合機の制御部のＲＯＭにプログラムとして組み込まれて、ソフトウェアの実行によりエンコード処理、及びデコード処理を行うもので、コスト的にも有利である。
ただし、このソフトコーデックによる処理能力はあまり高くはなく、ハードコーデックに比べてかなり処理速度が劣る。従って、例えば、このソフトコーデックを通信用に設定した複合機では、通信性能が低下するというデメリットがあり、ユーザの使用状況に沿わない場合も少なくない。
【０００８】
以上のことから、これまでのユーザには、▲１▼各処理機能に対応させて少なくとも３つのハードコーデックが実装された比較的高価な複合機か、▲２▼ソフトコーデックが通信用に設定されて通信性能が劣る廉価な複合機か、の何れかしか選択肢がなかったのである。
すなわち、ユーザが複合機の諸機能の使用状況に合わせて、コーデックの使用パターンを自由に最適なパターンに変更するということはできなかった。
【０００９】
そこで、本発明では、複合機の制御部に実装するハードコーデックの数を削減して、少ないハード資源で十分な処理動作を実現させるとともに、ユーザによる諸機能の使用状況に合わせてフレキシブルに使用パターンの設定・変更が可能な画像形成装置を提供することを課題とする。
【００１０】
【課題を解決するための手段】
本発明の解決しようとする課題は以上の如くであり、次にこの課題を解決するための手段は、以下に示すとおりである。
まず、請求項１に記載のように、画像読取部と画像記録部とファクシミリ通信部とを備え、コピー機能及びファクシミリ通信機能が実行可能な画像形成装置であって、画情報のエンコード／デコード処理が実行可能な２つのハードコーデックと、ソフトウェアの実行によってエンコード／デコード処理を行う１つのソフトコーデックと、各処理機能と使用するコーデックとを関連付けた複数の使用パターンを記憶する記憶手段と、使用パターンを選択するための切替手段と、切替手段により選択された使用パターンを参照することにより、使用するコーデックを決定する制御手段と、を備える。
【００１１】
また、請求項２に記載のように、請求項１に記載の画像形成装置において、前記記憶手段には、使用パターンとして、一方のハードコーデックを通信用に、他方のハードコーデックを読取／記録用に設定するパターンを記憶する。
【００１２】
そして、請求項３に記載のように、請求項１、又は請求項２に記載の画像形成装置において、前記記憶手段には、使用パターンとして、ソフトコーデックを通信用に、一方のハードコーデックを読取用に、他方のハードコーデックを記録用に設定するパターンを記憶する。
【００１３】
また、請求項４に記載のように、前記一方のハードコーデックを通信用に、他方のハードコーデックを読取／記録用に設定する使用パターンを備えた画像形成装置において、前記制御手段は、ファクシミリ受信で、一方のハードコーデックを使っての符号変換中に、コピー要求が発生した場合、他方のハードコーデックを使ってのファクシミリ記録が終了するまで、コピー読取りを待機し、該他方のハードコーデックによるファクシミリ記録が全て終わり次第、空きとなった該他方のハードコーデックを使ってコピー読取りを開始するように制御する。
【００１４】
あるいは、請求項５に記載のように、前記一方のハードコーデックを通信用に、他方のハードコーデックを読取／記録用に設定する使用パターンを備えた画像形成装置において、前記制御手段は、ファクシミリ受信で、一方のハードコーデックを使っての符号変換中に、コピー要求が発生した場合、該一方のハードコーデックを使っての符号変換は継続して行うとともに、他方のハードコーデックを使ってのファクシミリ記録を頁単位で中断し、これにより空きとなった他方のハードコーデックを使ってコピー読取りを開始し、該他方のハードコーデックによるコピー読取りが全て終わり次第、空きとなった該他方のハードコーデックを使ってコピー記録を開始し、該他方のハードコーデックによるコピー記録が全て終わり次第、空きとなった該他方のハードコーデックを使って中断していたファクシミリ記録を再開するように制御する。
【００１５】
または、請求項６に記載のように、前記一方のハードコーデックを通信用に、他方のハードコーデックを読取／記録用に設定する使用パターンを備えた画像形成装置において、前記制御手段は、ファクシミリ受信で、一方のハードコーデックを使っての符号変換中に、コピー要求が発生した場合、該一方のハードコーデックを使っての符号変換は継続して行うとともに、他方のハードコーデックを使ってのファクシミリ記録を継続して行い、該一方のハードコーデックによる符号変換が全て終わり次第、空きとなった該一方のハードコーデックを使ってコピー読取りを開始し、該他方のハードコーデックによるファクシミリ記録が全て終わり次第、空きとなった該他方のハードコーデックを使ってコピー記録を開始するように制御する制御パターンを備える。
【００１６】
そして、請求項７に記載のように、前記一方のハードコーデックを通信用に、他方のハードコーデックを読取／記録用に設定する使用パターンを備えた画像形成装置において、前記制御手段は、ファクシミリ送信で、他方のハードコーデックを使ってのファクシミリ読取り中に、コピー要求が発生した場合、該他方のハードコーデックを使ってのファクシミリ読取りが終了するまで、コピー読取りを待機し、該他方のハードコーデックによるファクシミリ読取りが全て終わり次第、空きとなった該他方のハードコーデックを使ってコピー読取りを開始し、該他方のハードコーデックによるコピー読取りが全て終わり次第、空きとなった該他方のハードコーデックを使ってコピー記録を開始するように制御する。
【００１７】
さらに、請求項８に記載のように、前記一方のハードコーデックを通信用に、他方のハードコーデックを読取／記録用に設定する使用パターンを備えた画像形成装置において、前記制御手段は、他方のハードコーデックを使ってのコピー処理中に、ファクシミリ受信が発生した場合、該他方のハードコーデックを使ってのコピー読取り、又はコピー記録と並行して、一方のハードコーデックを使ってファクシミリ受信での符号変換を行い、該他方のハードコーデックによるコピー読取りを全て終えてコピー記録まで全て終わり次第、空きとなった該他方のハードコーデックを使って、ファクシミリ記録を開始するように制御する。
【００１８】
そうして、請求項９に記載のように、前記ソフトコーデックを通信用に、一方のハードコーデックを読取用に、他方のハードコーデックを記録用に設定する使用パターンを備えた画像形成装置において、前記制御手段は、ファクシミリ受信で、ソフトコーデックを使っての符号変換中に、コピー要求が発生した場合、該ソフトコーデックを使っての符号変換、又は他方のハードコーデックを使ってのファクシミリ記録と並行して、一方のハードコーデックを使ってコピー読取りを開始し、該他方のハードコーデックによるファクシミリ記録が全て終わり次第、空きとなった該他方のハードコーデックを使って、コピー記録を開始するように制御する。
【００１９】
あるいは、請求項１０に記載のように、前記ソフトコーデックを通信用に、一方のハードコーデックを読取用に、他方のハードコーデックを記録用に設定する使用パターンを備えた画像形成装置において、前記制御手段は、ファクシミリ受信で、ソフトコーデックを使っての符号変換中に、コピー要求が発生した場合、該ソフトコーデックを使ってのファクシミリ受信での符号変換、又は他方のハードコーデックを使ってのファクシミリ記録と並行して、一方のハードコーデックを使ってコピー読取りを開始し、該他方のハードコーデックを使ってのファクシミリ記録を頁単位で中断し、これにより空きとなった該他方のハードコーデックを使ってコピー記録を開始し、該他方のハードコーデックによるコピー記録が全て終わり次第、空きとなった該他方のハードコーデックを使って、中断していたファクシミリ記録を再開するように制御する。
【００２０】
また、請求項１１に記載のように、前記ソフトコーデックを通信用に、一方のハードコーデックを読取用に、他方のハードコーデックを記録用に設定する使用パターンを備えた画像形成装置において、前記制御手段は、ファクシミリ送信で、一方のハードコーデックを使ってのファクシミリ読取り中に、コピー要求が発生した場合、該一方のハードコーデックを使ってのファクシミリ読取りが終了するまで、コピー読取りを待機し、該一方のハードコーデックによるファクシミリ読取りが全て終わり次第、空きとなった該一方のハードコーデックを使ってコピー読取りを開始し、この一方のハードコーデックによるコピー読取りと並行して、他方のハードコーデックを使ってコピー記録を実行するように制御する。
【００２１】
最後に、請求項１２に記載のように、前記ソフトコーデックを通信用に、一方のハードコーデックを読取用に、他方のハードコーデックを記録用に設定する使用パターンを備えた画像形成装置において、前記制御手段は、一方のハードコーデック、又は他方のハードコーデックを使ってのコピー処理中に、ファクシミリ受信が発生した場合、該一方のハードコーデックを使ってのコピー読取り、又は該他方のハードコーデックを使ってのコピー記録と並行して、ソフトコーデックを使ってファクシミリ受信での符号変換を行い、該他方のハードコーデックを使ってのコピー記録が全て終わり次第、空きとなった該他方のハードコーデックを使って、ファクシミリ記録を開始するように制御する。
【発明の実施の形態】
以下に、本発明の画像形成装置の一実施の形態である、コピー・ファクシミリ複合機１を参照しながら説明する。
【００２２】
図１は複合機１の制御構成を示すブロック図であり、複合機１の制御部には、制御手段であるＣＰＵ１０、ＲＯＭ１２、ＲＡＭ１３、画像メモリ（ＤＲＡＭ）１４、画像読取部３、画像記録部４、操作部２、表示部２０、２つのハードコーデック１５Ａ・１５Ｂ、モデム１７、ＮＣＵ（網制御部）１８、ＬＡＮインターフェイス（ＬＡＮ通信制御部）１９が備えられ、前記の各部がバス１１を介して、通信可能に接続されている。
【００２３】
ＲＯＭ１２には、複合機１を制御する制御プログラム等が記憶されており、ＲＡＭ１３には、複合機１の制御状態等の各種情報が一時的に記憶されて、ＣＰＵ１０は、操作部２への入力操作、及びＲＯＭ１２に書き込まれている制御プログラム等に従って、ＲＡＭ１３を作業領域として複合機１の全体制御を実行する。
【００２４】
このＲＯＭ１２にはソフトコーデック１２ａのプログラムを格納しており、ＣＰＵ１０によってソフトコーデック１２ａの機能を果たすようになっている。ソフトコーデック１２ａは、ソフトウェアの実行によって画情報のエンコード処理及びデコード処理が実行可能である。例えば、ソフトコーデック１２ａを通信用に設定した場合、ファクシミリ通信時に画情報を符号変換処理し、すなわち、所定のフォーマットで符号化圧縮（エンコード処理）された画情報を一旦復号伸張（デコード処理）した後、再度新たなフォーマットでエンコード処理するようになっている。
【００２５】
画像読取部３は、写真、文書、図面等の原稿を光学的に走査（スキャン）して、その反射光や透過光の強度を計り、これをＡＤ（アナログ−デジタル）変換して、イメージデータである画情報を出力する。画像記録部４は、電子写真方式のプリンタで構成され、画像読取部３で出力された画情報や、モデム１７を介して受信した画情報を、記録紙上に記録（印刷）する。画像メモリ１４は、画像読取部３で読取った画情報をメモリ送信するために一時的に蓄積したり、受信した画情報を画像記録部４により記録するまで一時的に蓄積したりする。この画像メモリ１４には一定のフォーマット（例えば、ＭＭＲ方式）で画情報が蓄積されている。
【００２６】
操作部２には、複合機１を操作するための入力手段として、スタートキー２１や、使用パターン選択キー２３などの各種操作キーが設けられている。表示部２０は、ＬＣＤ（液晶ディスプレイ）で構成されており、操作部２上に配置されて、複合機１の動作状態等の各種情報を表示する。
【００２７】
複合機１は、同等の性能の２つのハードコーデック１５Ａ・１５Ｂを備えている。ここでは基板面積を小型化するために、単一の集積回路（ＩＣ）内に２つのハードコーデック１５Ａ・１５Ｂを備えた構成となっている。ただし、各ハードコーデック１５Ａ、１５Ｂをそれぞれ別の集積回路（ＩＣ）とすることもできる。各ハードコーデック１５Ａ、１５Ｂは、それぞれ符号化器としての機能と、復号器としての機能とを備えている。符号化器として機能する場合、例えば、画像読取部３に読取られた画情報を、画像メモリ１４への蓄積用フォーマットである所定のフォーマット（例えばＭＭＲ方式）に符号化圧縮（エンコード処理）する。復号器として機能する場合、例えば、所定のフォーマット（例えばＭＭＲ方式）で符号化圧縮されて画像メモリ１４に蓄積されている画情報を、画像記録部４で記録するために復号伸張（デコード処理）する。ただし、各ハードコーデック１５Ａ、１５Ｂは、エンコード処理とデコード処理とを同時に実行することはできない。
【００２８】
また、各ハードコーデック１５Ａ、１５Ｂは符号変換処理を実行可能であり、通信用として設定された場合、必要に応じて、符号化圧縮された画情報の符号変換処理を実行する。例えば、送信時の符号変換処理では、画像メモリー１４に第１のフォーマット（例えばＭＭＲ）で蓄積されている画情報を、送信用フォーマットである第２のフォーマット（例えばＭＨ方式）に変換する。この場合、第１のフォーマットの画情報を一旦デコードした後、第２のフォーマットに変換する。また、受信時の符号変換処理では、第２のフォーマットで送信されてきた画情報を、画像メモリー１４への蓄積用フォーマットである第１のフォーマット（例えばＭＭＲ方式）に変換したりする。この場合、第２のフォーマットの画情報を一旦デコードした後、第１のフォーマットに変換する。
【００２９】
ソフトコーチック１２ａ及び各ハードコーデック１５Ａ、１５Ｂは、それぞれ上述したような、読取用のエンコード処理、記録用のデコード処理及び通信用の符号変換処理が実行可能であるが、処理速度は、ハードコーデック１５Ａ、１５Ｂの方がソフトコーデック１２ａより速い。従って、例えば、ハードコーデック１５Ａ又は１５Ｂにより符号変換処理を実行する場合、ソフトコーデック１２ａにより符号変換処理を実行する場合よりも高速通信が可能となる。
【００３０】
モデム１７は、ＩＴＵ（国際電気通信連合）勧告に従ったファクシミリ伝送制御手順に基づいて、送信データの変調及び受信データの復調を行う。ＮＣＵ（網制御部）１８は、電話回線９との接続を制御するとともに、相手先の電話番号（ファックス番号を含む）に対応したダイアル信号の送出及び着信を検出するための機能を備えている。ＬＡＮインターフェイス（ＬＡＮ通信制御部）１９はパソコンなどをＬＡＮなどの通信ネットワークを介して接続する接点部である。
【００３１】
次に、本発明に係る複合機１の使用パターンについて説明する。
前記ＲＡＭ１３は、複合機１におけるコピー処理と、ファクシミリ通信処理との各処理と、使用するコーデック１２ａ・１５Ａ・１５Ｂとを関連付けた複数の使用パターンを記憶する記憶手段１３ａを備えており、該使用パターンは前記操作部２に配置された使用パターン選択キー２３の操作により表示部２０に表示されて、設定・変更が可能に構成されている。
【００３２】
また、前記ＲＯＭ１２には使用パターン選択キー２３の操作による選択結果に基づいて記憶手段１３ａの使用パターンを参照することにより使用するコーデック１２ａ・１５Ａ・１５Ｂを決定する制御プログラムが格納されている。
【００３３】
具体的には、図２に示すように、前記記憶手段１３ａには、▲１▼一方のハードコーデック１５Ａを通信専用（符号変換処理専用）に設定し、他方のハードコーデック１５Ｂを読取／記録専用に設定する、第１の使用パターンと、▲２▼ソフトコーデック１２ａを通信専用（符号変換処理専用）に、一方のハードコーデック１５Ａを読取専用（エンコード処理専用）に、他方のハードコーデック１５Ｂを記録専用（デコード処理専用）に設定する、第２の使用パターンとが格納されている。
さらに、記憶手段１３ａに上記２つの使用パターン以外の使用パターンを格納してもよく、記憶手段１３ａに格納する使用パターンは特に限定はないしないものとする。
【００３４】
そして、使用パターン選択キー２３の操作により表示部２０には、例えば、「ファクシミリ機能を優先するか、コピー機能を優先するか？」などと表示されて、「ファクシミリ機能を優先する」を選択すれば、コピー処理時に、読取用のエンコード処理と、記録用のデコード処理とを同時に行うことはできないが、高速通信が可能な、第１の使用パターンに設定され、「コピー機能を優先する」を選択すれば、高速通信はできないが、コピー処理時に、読取用のエンコード処理と並行して（同時に）記録用のデコード処理が行なえる、第２の使用パターンに設定されるように構成されている。
なお、本実施例では、使用パターンを切り替える切替手段を操作部２上の使用パターン選択キー２３で構成しているが、該切替手段は他の構成であってもよく、特に限定はしない。
【００３５】
次に、この第１の使用パターンに設定された複合機１の処理動作について説明する。
図３に示すように、使用パターン選択キー２３の操作により第１の使用パターンに設定された複合機１において、該複合機１のＡＤＦ等に送信原稿がセットされて、ユーザによる送信操作によりファクシミリ送信要求が発生すると（ステップＳＢ１）、前記ＲＯＭ１２内の制御プログラムによってハードコーデック１５Ａが通信用に設定され、ハードコーデック１５Ｂが読取用に設定される。
【００３６】
以下では、便宜的に、複合機１のＡＤＦに２枚の送信原稿をセットした場合について説明する。
まず、読取用に設定されたハードコーデック１５Ｂに着目して説明する。
ＡＤＦにセットされた１枚目の送信原稿は画像読取部３で読取られ（ステップＳＢ２）、その読取画情報は読取用に設定されたハードコーデック１５Ｂで蓄積用フォーマット（例えば、ＭＭＲ方式）にエンコードされて（ステップＳＢ３）、一旦、画像メモリ１４に格納される（ステップＳＢ４）。続いて、ＡＤＦにセットされた２枚目の送信原稿が画像読取部３で読取られて（ステップＳＢ５）、その読取画情報は該ハードコーデック１５Ｂで蓄積用フォーマットにエンコードされ（ステップＳＢ６）、一旦、画像メモリ１４に格納される（ステップＳＢ７）。
こうして、画像読取部３での読取りが終了して、該ハードコーデック１５Ｂは空きとなる（ステップＳＢ８）。
【００３７】
次に、送信用に設定されたハードコーデック１５Ａに着目して説明する。
前記ステップＳＢ４で、画像メモリ１４に格納された１枚目の送信原稿の読取画情報は、通常のメモリ送信にあってはそのまますぐに、時刻指定による自動送信にあっては指定された時刻に、通信用に設定されたハードコーデック１５Ａにより送信用フォーマットに符号変換処理されて（ステップＳＡ１）、該送信用フォーマットにてファクシミリ送信される（ステップＳＡ２）。
この画情報の送信フォーマットは、ファクシミリ通信において、通信手順信号の送受信（やり取り）に基づいて決定される。
ここで、「通常のメモリ送信」とは、全頁の蓄積が完了する前に、蓄積した画情報を頁毎に送信する送信方法をいい、「時刻指定による自動送信」とは、全頁の蓄積を完了した後に、指定時刻になった時点で、蓄積した画情報を頁毎に送信する送信方法をいう。
【００３８】
続いて、前記ステップＳＢ７で、画像メモリ１４に格納された２枚目の送信原稿の読取画情報が、該ハードコーデック１５Ａにより送信用フォーマットに符号変換処理されて（ステップＳＡ３）、該送信用フォーマットにてファクシミリ送信される（ステップＳＡ４）。
こうして、ハードコーデック１５Ａによる符号変換が終了して、該ハードコーデック１５Ａが空きとなる（ステップＳＡ５）。
最後に、送信終了処理が行なわれ、複合機１は送信先の相手機に対して手続終了信号（ＥＯＦ）を送信して、該相手機からメッセージ確認信号（ＭＣＦ）を受信すると、該複合機１から切断命令信号（ＤＣＮ）が出力されて回線が切断される（ステップＳＡ６）。
【００３９】
以上のように、ハードコーデック１５Ｂによるファクシミリ読取り（エンコード）と、ハードコーデック１５Ａによるファクシミリ送信（符号変換）とが並行して行われる。
なお、図３中のステップＳＡ１、ステップＳＡ３でのハードコーデック１５Ａによる送信時の符号変換処理には、蓄積用フォーマットを送信用フォーマットに変換する処理と、蓄積解像度を送信用解像度に変換する処理とが含まれる。
【００４０】
以上、複合機１のＡＤＦに２枚の送信原稿をセットした場合についての説明であるが、該ＡＤＦにセットした送信原稿の枚数が１枚の場合や、３枚以上の場合についても同様の流れで、ハードコーデック１５Ｂによるファクシミリ読取り（エンコード）と、ハードコーデック１５Ａによるファクシミリ送信（符号変換）とが並行して行われる。
なお、送信原稿が１枚の場合は、原稿読取載置台上にセットしてもよく、この場合も同様の流れで、送信原稿の読取処理と、その送信処理とが並行して実行される。
【００４１】
また、図４に示すように、この第１の使用パターンに設定された複合機１で、ファクシミリ受信が発生すると（ステップＴＡ１）、前記ＲＯＭ１２内の制御プログラムによって一方のハードコーデック１５Ａが通信用に設定され、他方のハードコーデック１５Ｂが記録用に設定される。
【００４２】
以下では、便宜的に、複合機１で２枚の受信原稿を受信した場合について説明する。
まず、通信用に設定されたハードコーデック１５Ａに着目して説明する。
複合機１で、相手機からの１枚目の原稿の受信画情報がファクシミリ受信され（ステップＴＡ２）、該受信画情報は通信用に設定されたハードコーデック１５Ａで蓄積用フォーマットに符号変換処理されて（ステップＴＡ３）、一旦、画像メモリ１４に格納される（ステップＴＡ４）。続いて、複合機１では、相手機からの２枚目の原稿の受信画情報がファクシミリ受信され（ステップＴＡ５）、該受信画情報は該ハードコーデック１５Ａで蓄積用フォーマットに符号変換処理されて（ステップＴＡ６）、一旦、画像メモリ１４に格納される（ステップＴＡ７）。
こうして、相手機からの受信が終了して、該ハードコーデック１５Ａは空きとなる（ステップＴＡ８）。
【００４３】
次に、記録用に設定されたハードコーデック１５Ｂに着目して説明する。
前記ステップＴＡ４で、画像メモリ１４に格納された１枚目の原稿の受信画情報は、記録用に設定されたハードコーデック１５Ｂによりデコードされて（ステップＴＢ１）、該受信画情報が記録紙等に転写されてプリントアウトされる（ステップＴＢ２）。
【００４４】
続いて、前記ステップＴＡ７で、画像メモリ１４に格納された２枚目の原稿の受信画情報が、該ハードコーデック１５Ｂによりデコードされて（ステップＴＢ３）、該受信画情報が記録紙等に転写されてプリントアウトされる（ステップＴＢ４）。
こうして、ハードコーデック１５Ｂによるデコードが終了して、該ハードコーデック１５Ｂが空きとなる（ステップＴＢ５）。
最後に、受信終了処理が行なわれ、複合機１は相手機から手続終了信号（ＥＯＦ）を受信すると、該相手機に対してメッセージ確認信号（ＭＣＦ）を送信する（ステップＴＢ６）。
【００４５】
以上のように、ハードコーデック１５Ａによるファクシミリ受信・蓄積（符号変換）と、ハードコーデック１５Ｂによるファクシミリ記録（デコード）とが並行して行われる。
【００４６】
以上、複合機１で２枚の受信原稿を受信した場合についての説明であるが、該受信原稿の枚数が１枚の場合や、３枚以上の場合についても同様の流れで、ハードコーデック１５Ａによるファクシミリ受信・蓄積（符号変換）と、ハードコーデック１５Ｂによるファクシミリ記録（デコード）とが並行して行われる。
【００４７】
また、図５に示すように、この第１の使用パターンに設定された複合機１で、操作部２のスタートキー２１の操作によってコピー要求が発生すると（ステップＵＢ１）、前記ＲＯＭ１２内の制御プログラムによって他方のハードコーデック１５Ｂが、まず読取用として使用されて、全原稿の読取処理が終了した後に記録用に切り替えて使用される。
【００４８】
以下では、便宜的に、複合機１のＡＤＦに２枚のコピー原稿をセットした場合について説明する。
まず、ＡＤＦにセットされた１枚目のコピー原稿が画像読取部３で読取られて（ステップＵＢ２）、その読取画情報は読取用に設定されたハードコーデック１５Ｂで蓄積用フォーマットにエンコードされて（ステップＵＢ３）、一旦、画像メモリ１４に格納される（ステップＵＢ４）。続いて、ＡＤＦにセットされた２枚目のコピー原稿が画像読取部３で読取られて（ステップＵＢ５）、その読取画情報は該ハードコーデック１５Ｂで蓄積用フォーマットにエンコードされて（ステップＵＢ６）、一旦、画像メモリ１４に格納される（ステップＵＢ７）。
【００４９】
こうして、読取用に設定されたハードコーデック１５Ｂによる、２枚のコピー原稿の読取画情報のエンコードが終了すると、該ハードコーデック１５Ｂは記録用に切り替えられ（ステップＵＢ８）、前記ステップＵＢ４で、画像メモリ１４に格納されていた１枚目のコピー原稿の画情報が、該ハードコーデック１５Ｂによりデコードされて（ステップＵＢ９）、１枚目のコピー原稿の画情報が記録紙等に転写されてプリントアウトされる（ステップＵＢ１０）。
【００５０】
続いて、前記ステップＵＢ７で、画像メモリ１４に格納されていた２枚目のコピー原稿の画情報が、該ハードコーデック１５Ｂによりデコードされて（ステップＵＢ１１）、２枚目のコピー原稿の画情報が記録紙等に転写されてプリントアウトされる（ステップＵＢ１２）。
こうして、読取用に設定された後に、記録用に設定されたハードコーデック１５Ｂによるデコードが終了して、該ハードコーデック１５Ｂが空きとなる（ステップＵＢ１３）。
【００５１】
以上、複合機１のＡＤＦに２枚のコピー原稿をセットした場合についての説明であるが、該ＡＤＦにセットしたコピー原稿の枚数が１枚の場合や、３枚以上の場合についても同様の流れで、他方のハードコーデック１５Ｂでコピー読取り（エンコード）を終えた後、コピー記録（デコード）が実行される。
なお、コピー原稿が１枚の場合は、原稿読取載置台上にセットしてもよく、この場合も同様の流れで、他方のハードコーデック１５Ｂでコピー読取り（エンコード）を終えた後、コピー記録（デコード）が実行される。
【００５２】
以上、第１の使用パターンに設定された複合機１の基本的な処理動作であり、次に、これらの処理動作が重なって発生した場合について説明する。
【００５３】
まず、相手機からのファクシミリ受信があって、ハードコーデック１５Ａで受信画情報を蓄積（符号変換）中に、コピー要求が発生した場合、複合機１の制御手段たるＣＰＵ１０では、受信画情報のファクシミリ記録（デコード）が全て終了するまで、コピー読取り（エンコード）を待機するように制御する。
【００５４】
すなわち、この構成では、通信用に設定されたハードコーデック１５Ａを使って受信画情報を符号変換するとともに、記録用に設定されたハードコーデック１５Ｂを使って該受信画情報のファクシミリ記録（デコード）を実行していき、該ハードコーデック１５Ｂによる該受信画情報のファクシミリ記録（デコード）が全て終わり次第、空きとなった該ハードコーデック１５Ｂを使って、コピー読取り（エンコード）を開始し、該ハードコーデック１５Ｂを使ってのコピー読取り（エンコード）が全て終わり次第、該ハードコーデック１５Ｂを使ってコピー記録（デコード）を開始するように制御する。
【００５５】
この構成では、回線の接続状態を中断することなしに、全ての受信画情報をコピー処理に優先して記録していき、受信内容をいち早く確認することができる。また、排出トレイには、受信画情報を記録した記録紙の上から、コピー原稿を記録した記録紙が排出されて、該受信画情報を記録した記録紙と、該コピー原稿を記録した記録紙とが入り混じることはない。
【００５６】
あるいは、相手機からのファクシミリ受信があって、ハードコーデック１５Ａで受信画情報を蓄積（符号変換）中に、コピー要求が発生した場合、ハードコーデック１５Ｂを用いての受信画情報のファクシミリ記録（デコード）を一旦中断して、この中断により空きとなったハードコーデック１５Ｂを用いてコピー処理（読取り及び記録）を実行するように制御してもよい。
【００５７】
すなわち、この構成では、ＣＰＵ１０は、通信用に設定されたハードコーデック１５Ａを使っての受信画情報の符号変換は継続して行うとともに、記録用に設定されたハードコーデック１５Ｂを使っての該受信画情報のファクシミリ記録（デコード）を頁（ページ）単位で中断し、これにより空きとなった該ハードコーデック１５Ｂを使ってコピー読取り（エンコード）を開始し、該ハードコーデック１５Ｂによるコピー読取り（エンコード）が全て終わり次第、空きとなった該ハードコーデック１５Ｂを使ってコピー記録（デコード）を開始し、該ハードコーデック１５Ｂによるコピー記録（デコード）が全て終わり次第、空きとなった該ハードコーデック１５Ｂを使って、中断していた受信画情報のファクシミリ記録（デコード）を再開するように制御する。
【００５８】
なお、このコピー要求の発生が受信画情報の記録前（先頭ページの受信中）であれば、受信画情報のファクシミリ記録（デコード）は全て後回しにされ、全ての受信画情報がコピー処理（読取り及び記録）の完了後にファクシミリ記録（デコード）が実行されることになる。
【００５９】
この構成では、回線の接続状態を中断することなく、ハードコーデック１５Ａで受信・蓄積は継続して行うとともに、ハードコーデック１５Ｂによる受信画情報の記録（デコード）については一旦中断して、該ハードコーデック１５Ｂによりコピー処理（読取り及び記録）を優先的に行うことができる。また、コピー要求が発生した際、直ちにハードコーデック１５Ｂによる受信画情報のファクシミリ記録（デコード）を中断するのではなく、そのときにファクシミリ記録（デコード）している頁（ページ）が終了してから中断することにより、受信画情報を不完全に記録した記録紙の発生を防止することができる。
【００６０】
または、相手機からのファクシミリ受信があって、ハードコーデック１５Ａで受信画情報を蓄積（符号変換）中に限り、以下のように、一方のハードコーデック１５Ａを通信用に固定するとともに他方のハードコーデック１５Ｂを読取／記録用に固定して使用する第１の使用パターンを一時的に崩して制御するように構成してもよい。
【００６１】
すなわち、この構成では、ＣＰＵ１０は、ハードコーデック１５Ａを使っての受信画情報の符号変換を継続して行うとともに、ハードコーデック１５Ｂを使っての該受信画情報のファクシミリ記録（デコード）を継続して行い、このとき必ずハードコーデック１５Ａによる受信画情報の符号変換の方が、ハードコーデック１５Ｂによる該受信画情報のファクシミリ記録（デコード）よりも先に終了することから、該ハードコーデック１５Ａによる受信画情報の符号変換が全て終わり次第、空きとなった該ハードコーデック１５Ａを使ってコピー読取り（エンコード）を開始し、該ハードコーデック１５Ｂによる該受信画情報のファクシミリ記録（デコード）が全て終わり次第、空きとなった該ハードコーデック１５Ｂを使ってコピー記録（デコード）を開始するように制御する。
【００６２】
この構成では、回線の接続状態を中断することなしに、受信画情報をコピー処理に優先して記録していき、受信内容をいち早く確認することができるとともに、受信完了後のコピー処理についても、２つのハードコーデック１５Ａ・１５Ｂを用いて行うため、処理速度が向上する。
【００６３】
次に、時刻指定送信を行う場合のファクシミリ送信原稿の読取中、又は通常のメモリ送信によりファクシミリ送信原稿の読取中に、コピー要求が発生した場合について説明する。
通常のメモリ送信によるファクシミリ送信原稿の読取中にあっては、ハードコーデック１５Ｂを用いての送信原稿の画情報のエンコードと並行して、もう一方のハードコーデック１５Ａを用いての該画情の送信用フォーマットへの符号変換が実行されているが、時刻指定送信を行う場合のファクシミリ送信原稿の読取中にあっては、ハードコーデック１５Ｂを用いての送信原稿の画情報のエンコードのみが実行されていて、その後、指定された時刻になると、もう一方のハードコーデック１５Ａによる該画情の送信用フォーマットへの符号変換が実行される。
【００６４】
このファクシミリ送信原稿の読取中に、コピー要求が発生すると、複合機１のＣＰＵ１０では、ハードコーデック１５Ｂを用いての送信画情報のファクシミリ読取り（エンコード）が全て終了するまで、該ハードコーデック１５Ｂによるコピー読取り（エンコード）、並びにコピー記録（デコード）を待機するように制御する。
【００６５】
すなわち、この構成では、ハードコーデック１５Ｂを使ってのファクシミリ読取り（エンコード）が終了するまで、コピー読取り（エンコード）を待機し、該ハードコーデック１５Ｂを使ってのファクシミリ読取り（エンコード）が全て終わり次第、空きとなった該ハードコーデック１５Ｂを使ってコピー読取り（エンコード）を開始し、該ハードコーデック１５Ｂによるコピー読取り（エンコード）が全て終わり次第、空きとなった該ハードコーデック１５Ｂを使ってコピー記録（デコード）を開始するように制御する。
なお、ファクシミリ送信の送信結果通知を記録する場合、その記録はコピー処理の記録が全て完了した後に行われる。
【００６６】
このような構成で、ファクシミリ送信中にコピー要求が発生した場合、ファクシミリ読取り（エンコード）を中断することなく、該ファクシミリ読取り（エンコード）が全て完了した後にコピー読取り（エンコード）を開始するようにしている。従って、ファクシミリ送信を中断することなく、迅速にファクシミリ送信が行え、ファクシミリ送信料を削減することができる。
【００６７】
なお、時刻指定送信で指定時刻に自動送信中（符号変換中）、又は通常のメモリ送信によりファクシミリ送信原稿の読取りが完了した後のファクシミリ送信中（符号変換中）に、コピー要求が発生した場合には、読取用のハードコーデック１５Ｂは空きの状態になっているので、直ちにコピー読取り（エンコード）が開始される。
【００６８】
次に、ハードコーデック１５Ｂを使ってのコピー処理中に、ファクシミリ受信が発生した場合について説明する。
この場合、ＣＰＵ１０では、読取／記録用に設定されたハードコーデック１５Ｂを使ってのコピー読取り（エンコード）、又はコピー記録（デコード）と並行して、通信用に設定されたハードコーデック１５Ａを使ってのファクシミリ受信・蓄積（符号変換）を行い、該ハードコーデック１５Ｂによるコピー読取り（エンコード）を全て終えてコピー記録（デコード）まで全て終わり次第、空きとなった該ハードコーデック１５Ｂを使って、蓄積中、又は蓄積を終えたところの受信画情報のファクシミリ記録（デコード）を開始するように制御する。
【００６９】
このような構成で、ハードコーデック１５Ｂによるコピー読取り（エンコード）及びコピー記録（デコード）は中断することなく、コピー処理（読取り及び記録）を迅速に行えるとともに、ファクシミリ受信の相手先（発信元）に着信（回線閉結）するまで長時間待たせることがなく、該相手先が負担するファクシミリ送信料を低減することができる。
【００７０】
次に、前記第２の使用パターンに設定された複合機１の処理動作について説明する。
図６に示すように、使用パターン選択キー２３の操作により第２の使用パターンに設定された複合機１のＡＤＦ等に送信原稿がセットされて、ユーザによる送信操作によりファクシミリ送信要求が発生すると（ステップＶＡ１）、前記ＲＯＭ１２内の制御プログラムによってソフトコーデック１２ａが通信用に設定され、ハードコーデック１５Ａが読取用に設定される。
【００７１】
以下では、便宜的に、複合機１のＡＤＦに２枚の送信原稿をセットした場合について説明する。
まず、読取用に設定されたハードコーデック１５Ａに着目して説明する。
ＡＤＦにセットされた１枚目の送信原稿は画像読取部３で読取られ（ステップＶＡ２）、その読取画情報は読取用に設定されたハードコーデック１５Ａで蓄積用フォーマット（例えば、ＭＭＲ方式）にエンコードされて（ステップＶＡ３）、一旦、画像メモリ１４に格納される（ステップＶＡ４）。続いて、ＡＤＦにセットされた２枚目の送信原稿が画像読取部３で読取られて（ステップＶＡ５）、その読取画情報は該ハードコーデック１５Ａで蓄積用フォーマットにエンコードされ（ステップＶＡ６）、一旦、画像メモリ１４に格納される（ステップＶＡ７）。
こうして、画像読取部３での読取りが終了して、該ハードコーデック１５Ａは空きとなる（ステップＶＡ８）。
【００７２】
次に、送信用に設定されたソフトコーデック１２ａに着目して説明する。
前記ステップＶＡ４で、画像メモリ１４に格納された１枚目の送信原稿の読取画情報は、通常のメモリ送信にあってはそのまますぐに、時刻指定による自動送信にあっては指定された時刻に、通信用に設定されたソフトコーデック１２ａにより送信用フォーマットに符号変換処理されて（ステップＶＳ１）、該送信用フォーマットにてファクシミリ送信される（ステップＶＳ２）。
この画情報の送信フォーマットは、ファクシミリ通信において、通信手順信号の送受信（やり取り）に基づいて決定される。
【００７３】
続いて、前記ステップＶＡ７で、画像メモリ１４に格納された２枚目の送信原稿の読取画情報が、該ソフトコーデック１２ａにより送信用フォーマットに符号変換処理されて（ステップＶＳ３）、該送信用フォーマットにてファクシミリ送信される（ステップＶＳ４）。
こうして、ソフトコーデック１２ａによる符号変換が終了して、該ソフトコーデック１２ａが空きとなる（ステップＶＳ５）。
最後に、送信終了処理が行なわれ、複合機１は送信先の相手機に対して手続終了信号（ＥＯＦ）を送信して、該相手機からメッセージ確認信号（ＭＣＦ）を受信すると、該複合機１から切断命令信号（ＤＣＮ）が出力されて回線が切断される（ステップＶＳ６）。
【００７４】
以上のように、ハードコーデック１５Ａによるファクシミリ読取り（エンコード）と、ソフトコーデック１２ａによるファクシミリ送信（符号変換）とが並行して行われる。
なお、図６中のステップＶＳ１、ステップＶＳ３でのソフトコーデック１２ａによる送信時の符号変換処理には、蓄積用フォーマットを送信用フォーマットに変換する処理と、蓄積解像度を送信用解像度に変換する処理とが含まれる。
【００７５】
なお、前記のように、ソフトコーデック１２ａによる符号変換処理能力はハードコーデック１５Ａ、１５Ｂによる符号変換処理能力よりも劣ることから、ソフトコーデック１２ａが通信用に設定される第２の使用パターンの送信処理速度は、ハードコーデック１５Ａが通信用に設定される第１の使用パターンの送信処理速度よりも遅くなる。
【００７６】
以上、複合機１のＡＤＦに２枚の送信原稿をセットした場合についての説明であるが、該ＡＤＦにセットした送信原稿の枚数が１枚の場合や、３枚以上の場合についても同様の流れで、ハードコーデック１５Ａによるファクシミリ読取り（エンコード）と、ソフトコーデック１２ａによるファクシミリ送信（符号変換）とが並行して行われる。
なお、送信原稿が１枚の場合は、原稿読取載置台上にセットしてもよく、この場合も同様の流れで、送信原稿の読取処理と、その送信処理とが並行して実行される。
【００７７】
また、図７に示すように、この第２の使用パターンに設定された複合機１で、ファクシミリ受信が発生すると（ステップＷＳ１）、前記ＲＯＭ１２内の制御プログラムによってソフトコーデック１２ａが通信用に設定され、ハードコーデック１５Ｂが記録用に設定される。
【００７８】
以下では、便宜的に、複合機１で２枚の受信原稿を受信した場合について説明する。
まず、通信用に設定されたソフトコーデック１２ａに着目して説明する。
複合機１で、相手機からの１枚目の原稿の受信画情報がファクシミリ受信され（ステップＷＳ２）、該受信画情報は通信用に設定されたソフトコーデック１２ａで蓄積用フォーマットに符号変換処理されて（ステップＷＳ３）、一旦、画像メモリ１４に格納される（ステップＷＳ４）。続いて、複合機１では、相手機からの２枚目の原稿の受信画情報がファクシミリ受信され（ステップＷＳ５）、該受信画情報は該ソフトコーデック１２ａで蓄積用フォーマットに符号変換処理されて（ステップＷＳ６）、一旦、画像メモリ１４に格納される（ステップＷＳ７）。
こうして、相手機からの受信が終了して、該ソフトコーデック１２ａは空きとなる（ステップＷＳ８）。
【００７９】
次に、記録用に設定されたハードコーデック１５Ｂに着目して説明する。
前記ステップＷＳ４で、画像メモリ１４に格納された１枚目の原稿の受信画情報は、記録用に設定されたハードコーデック１５Ｂによりデコードされて（ステップＷＢ１）、該受信画情報が記録紙等に転写されてプリントアウトされる（ステップＷＢ２）。
【００８０】
続いて、前記ステップＷＳ７で、画像メモリ１４に格納された２枚目の原稿の受信画情報が、該ハードコーデック１５Ｂによりデコードされて（ステップＷＢ３）、該受信画情報が記録紙等に転写されてプリントアウトされる（ステップＷＢ４）。
こうして、ハードコーデック１５Ｂによるデコードが終了して、該ハードコーデック１５Ｂが空きとなる（ステップＷＢ５）。
最後に、受信終了処理が行なわれ、複合機１は相手機から手続終了信号（ＥＯＦ）を受信すると、該相手機に対してメッセージ確認信号（ＭＣＦ）を送信する（ステップＷＢ６）。
【００８１】
以上のように、ソフトコーデック１２ａによるファクシミリ受信・蓄積（符号変換）と、ハードコーデック１５Ｂによるファクシミリ記録（デコード）とが並行して行われる。
【００８２】
なお、ソフトコーデック１２ａによる符号変換処理能力はハードコーデック１５Ａ、１５Ｂによる符号変換処理能力よりも劣ることから、ソフトコーデック１２ａが通信用に設定される第２の使用パターンの受信処理速度は、ハードコーデック１５Ａが通信用に設定される第１の使用パターンの受信処理速度よりも遅くなる。
【００８３】
以上、複合機１で２枚の受信原稿を受信した場合についての説明であるが、該受信原稿の枚数が１枚の場合や、３枚以上の場合についても同様の流れで、ソフトコーデック１２ａによるファクシミリ受信・蓄積（符号変換）と、ハードコーデック１５Ｂによるファクシミリ記録（デコード）とが並行して行われる。
【００８４】
また、図８に示すように、この第２の使用パターンに設定された複合機１で、操作部２のスタートキー２１の操作によってコピー要求が発生すると（ステップＸＡ１）、前記ＲＯＭ１２内の制御プログラムによってハードコーデック１５Ａが読取用に設定され、ハードコーデック１５Ｂが記録用に設定される。
【００８５】
以下では、便宜的に、複合機１のＡＤＦに２枚のコピー原稿をセットした場合について説明する。
まず、読取用に設定されたハードコーデック１５Ａに着目して説明する。
ＡＤＦにセットされた１枚目の送信原稿は画像読取部３で読取られ（ステップＸＡ２）、その読取画情報は読取用に設定されたハードコーデック１５Ａで蓄積用フォーマット（例えば、ＭＭＲ方式）にエンコードされて（ステップＸＡ３）、一旦、画像メモリ１４に格納される（ステップＸＡ４）。続いて、ＡＤＦにセットされた２枚目の送信原稿が画像読取部３で読取られて（ステップＸＡ５）、その読取画情報は該ハードコーデック１５Ａで蓄積用フォーマットにエンコードされ（ステップＸＡ６）、一旦、画像メモリ１４に格納される（ステップＸＡ７）。
こうして、画像読取部３での読取りが終了して、該ハードコーデック１５Ａは空きとなる（ステップＸＡ８）。
【００８６】
次に、記録用に設定されたハードコーデック１５Ｂに着目して説明する。
前記ステップＸＡ４で、画像メモリ１４に格納された１枚目のコピー原稿の画情報は、記録用に設定されたハードコーデック１５Ｂによりデコードされて（ステップＸＢ１）、該画情報が記録紙等に転写されてプリントアウトされる（ステップＸＢ２）。
【００８７】
続いて、前記ステップＸＡ７で、画像メモリ１４に格納された２枚目のコピー原稿の画情報が、該ハードコーデック１５Ｂによりデコードされて（ステップＸＢ３）、該画情報が記録紙等に転写されてプリントアウトされる（ステップＸＢ４）。
こうして、ハードコーデック１５Ｂによるデコードが終了して、該ハードコーデック１５Ｂが空きとなる（ステップＸＢ５）。
【００８８】
以上、複合機１のＡＤＦに２枚のコピー原稿をセットした場合についての説明であるが、該ＡＤＦにセットしたコピー原稿の枚数が１枚の場合や、３枚以上の場合についても同様の流れで、一方のハードコーデック１５Ａによりコピー読取り（エンコード）が実行され、これと並行して他方のハードコーデック１５Ｂによりコピー記録（デコード）が実行されて、コピー処理速度が向上する。
なお、コピー原稿が１枚の場合は、原稿読取載置台上にセットしてもよく、この場合も同様の流れで、一方のハードコーデック１５Ａを使ってのコピー読取り（エンコード）と並行して、他方のハードコーデック１５Ｂを使ってのコピー記録（デコード）が実行される。
【００８９】
以上のように、この第２の使用パターンでは、２つのハードコーデック１５Ａ、１５Ｂをそれぞれ読取用と記録用とに分担してコピー読取り（エンコード）とコピー記録（デコード）とを並行して行っており、一方、第１の使用パターンでは、１つのハードコーデック１５Ｂを読取用と記録用とに順次切替えて、該１つのハードコーデック１５Ｂでコピー読取り（エンコード）とコピー記録（デコード）とを順番に行なっていることから、該第２の使用パターンの方が、該第１の使用パターンに比べて、コピー処理速度が速い。
【００９０】
以上、第２の使用パターンに設定された複合機１の基本的な処理動作であり、次に、これらの処理動作が重なって発生した場合について説明する。
【００９１】
まず、相手機からのファクシミリ受信があって、ソフトコーデック１２ａで受信画情報を蓄積（符号変換）中に、コピー要求が発生した場合、複合機１の制御手段たるＣＰＵ１０では、ファクシミリ受信・蓄積（符号変換）及びその記録（デコード）についてはそのまま続行して、該ファクシミリ受信・蓄積（符号変換）及びその記録（デコード）と並行して、コピー読取り（エンコード）を実行し、コピー記録（デコード）については、該ファクシミリ記録（デコード）が全て終了するまで待機するように制御する。
【００９２】
すなわち、この構成では、通信用に設定されたソフトコーデック１２ａを使ってのファクシミリ受信・蓄積（符号変換）、又は記録用に設定されたハードコーデック１５Ｂを使ってのファクシミリ記録（デコード）と並行して、このとき空いているハードコーデック１５Ａを使ってコピー読取り（エンコード）を開始し、該ハードコーデック１５Ｂを使ってのファクシミリ記録（デコード）が全て終わり次第、空きとなった該ハードコーデック１５Ｂを使って、コピー記録（デコード）を開始するように制御する。
【００９３】
この構成では、回線の接続状態を中断することなしに、全ての受信画情報をコピー処理に優先して記録していき、受信内容をいち早く確認することができる。また、排出トレイには、受信画情報を記録した記録紙の上から、コピー原稿を記録した記録紙が排出されて、該受信画情報を記録した記録紙と、該コピー原稿を記録した記録紙とが入り混じることはない。
【００９４】
あるいは、相手機からのファクシミリ受信があって、ソフトコーデック１２ａで受信画情報を蓄積（符号変換）中に、ソフトコーデック１２ａを用いてのファクシミリ受信・蓄積（符号変換）はそのまま継続して、ハードコーデック１５Ｂによる受信画情報の記録（デコード）については一旦中断し、このとき空いているハードコーデック１２Ａと、この中断により空きとなったハードコーデック１５Ｂとを用いてコピー処理を実行するように制御してもよい。
【００９５】
すなわち、この構成では、ＣＰＵ１０は、通信用に設定されたソフトコーデック１２ａを使ってのファクシミリ受信・蓄積（符号変換）、又は記録用に設定されたハードコーデック１５Ｂを使ってのファクシミリ記録（デコード）と並行して、このとき空いているハードコーデック１５Ａを使ってコピー読取り（エンコード）を開始し、該ハードコーデック１５Ｂを使っての受信画情報のファクシミリ記録（デコード）を頁（ページ）単位で中断し、これにより空きとなった該ハードコーデック１５Ｂを使ってコピー記録（デコード）を開始する。すなわち、このとき、ソフトコーデック１２ａを使ってのファクシミリ受信・蓄積（符号変換）と並行して、ハードコーデック１５Ａを使ってのコピー読取り（エンコード）、又はハードコーデック１５Ｂを使ってのコピー記録（デコード）とが実行されており、該ハードコーデック１５Ｂによるコピー記録（デコード）が全て終わり次第、空きとなった該ハードコーデック１５Ｂを使って、中断していた受信画情報のファクシミリ記録（デコード）を再開するように制御する。
【００９６】
なお、このコピー要求の発生が受信画情報の記録前（先頭ページの受信中）であれば、受信画情報のファクシミリ記録（デコード）は全て後回しにされ、全ての受信画情報がコピー処理（読取り及び記録）の完了後にファクシミリ記録（デコード）が実行されることになる。
【００９７】
この構成では、回線の接続状態を中断することなく、ソフトコーデック１２ａで受信・蓄積は継続して行うとともに、ハードコーデック１５Ｂによる受信画情報の記録（デコード）については一旦中断して、ハードコーデック１５Ａと該ハードコーデック１５Ｂとによりコピー処理（読取り及び記録）を迅速に行うことができる。また、コピー要求が発生した際、直ちにハードコーデック１５Ｂによる受信画情報のファクシミリ記録（デコード）を中断するのではなく、そのときにファクシミリ記録（デコード）している頁（ページ）が終了してから中断することにより、受信画情報を不完全に記録した記録紙の発生を防止することができる。
【００９８】
次に、時刻指定送信を行う場合のファクシミリ送信原稿の読取中、又は通常のメモリ送信によりファクシミリ送信原稿の読取中に、コピー要求が発生した場合について説明する。
通常のメモリ送信によるファクシミリ送信原稿の読取中にあっては、ハードコーデック１５Ａを用いての送信原稿の画情報のエンコードと並行して、ソフトコーデック１２ａを用いての該画情の送信用フォーマットへの符号変換が実行されているが、時刻指定送信を行う場合のファクシミリ送信原稿の読取中にあっては、ハードコーデック１５Ａを用いての送信原稿の画情報のエンコードのみが実行されていて、その後、指定された時刻になると、ソフトコーデック１２ａによる該画情の送信用フォーマットへの符号変換が実行される。
【００９９】
このファクシミリ送信原稿の読取中に、コピー要求が発生すると、複合機１のＣＰＵ１０では、該ハードコーデック１５Ａによるファクシミリ読取り（エンコード）が終了するまで、コピー読取り（エンコード）を待機し、該ハードコーデック１５Ａを使ってのファクシミリ読取り（エンコード）が全て終わり次第、空きとなった該ハードコーデック１５Ａを使ってコピー読取り（エンコード）を開始し、このハードコーデック１５Ａによるコピー読取り（エンコード）と並行して、空いていたハードコーデック１５Ｂを使ってのコピー記録（デコード）を実行するように制御する。
なお、ファクシミリ送信の送信結果通知を記録する場合、その記録はコピー処理の記録が全て完了した後に行われる。
【０１００】
このような構成で、ファクシミリ送信中にコピー要求が発生した場合、ファクシミリ読取り（エンコード）を中断することなく、該ファクシミリ読取り（エンコード）が全て完了した後にコピー読取り（エンコード）を開始するようにしている。従って、ファクシミリ送信を中断することなく、迅速にファクシミリ送信が行え、ファクシミリ送信料を削減することができる。
【０１０１】
なお、時刻指定送信で指定時刻に自動送信中（符号変換中）、又は通常のメモリ送信によりファクシミリ送信原稿の読取りが完了した後のファクシミリ送信中（符号変換中）に、コピー要求が発生した場合には、読取用のハードコーデック１５Ａは空きの状態になっているので、直ちにコピー読取り（エンコード）が開始される。
【０１０２】
次に、ハードコーデック１５Ａ、又はハードコーデック１５Ｂを使ってのコピー処理中に、ファクシミリ受信が発生した場合について説明する。
この場合、ＣＰＵ１０では、読取用に設定されたハードコーデック１５Ａを使ってのコピー読取り（エンコード）、又は記録用に設定されたハードコーデック１５Ｂを使ってのコピー記録（デコード）と並行して、通信用に設定されたソフトコーデック１２ａを使ってのファクシミリ受信・蓄積（符号変換）を行い、該ハードコーデック１５Ａを使ってのコピー読取り（エンコード）、及び該ハードコーデック１５Ｂを使ってのコピー記録（デコード）が全て終わり次第、空きとなった該ハードコーデック１５Ｂを使って、蓄積中、又は蓄積を終えたところの受信画情報のファクシミリ記録（デコード）を開始するように制御する。
【０１０３】
このような構成で、ハードコーデック１５Ａによるコピー読取り（エンコード）と、ハードコーデック１５Ｂによるコピー記録（デコード）とは中断することなく、ファクシミリ受信・蓄積（符号変換）のみ先行して行い、コピー処理完了後に、受信画情報の記録を行うことにより、コピー処理を迅速に行えるとともに、ファクシミリ受信の相手先（発信元）に着信（回線閉結）するまで長時間待たせることがなく、該相手先が負担するファクシミリ送信料を低減することができる。
【０１０４】
以上のように第１の使用パターンの場合には、コピー読取り（エンコード）とコピー記録（デコード）とを並行して行えないため、コピー効率は悪くなるが、通信用として一方のハードコーデック１５Ａを使用するので、符号変換が高速で行え、高速通信が可能となる。ファクシミリ送受信とコピー要求とが重なって発生する頻度が高い場合には、３つのハードコーデックを使用していた従来型に比べて多少効率が低下する場合があるが、頻度が低い場合には、従来型と同程度の処理効率を維持することができる。
【０１０５】
また、第２の使用パターンの場合には、通信用としてソフトコーデック１２ａを使用するため、通信速度はやや低速となるが、コピー読取り（エンコード）とコピー記録（デコード）とを並行して行えるため、コピー処理を効率良く行うことができる。ファクシミリ送受信とコピー要求とが重なって発生する頻度が高い場合には、３つのハードコーデックを使用していた従来型に比べて多少効率が低下する場合があるが、頻度が低い場合には、従来型と同程度の処理効率を維持することができる。
【０１０６】
以上のような構成で、本発明では、ハードコーデック１５Ａ、１５Ｂの実装数が削減されて、コストの削減が図られるとともに、ソフトコーデック１２ａと、少ないハードコーデック１５Ａ、１５Ｂとを有効に活用し、ユーザの使用状況に合わせてコピー動作とファクシミリ通信動作とを効率良く実行することができ、ユーザの使用状況に合わせてフレキシブルに対応できる廉価な複合機１を提供することができる。
【０１０７】
なお、原稿搬送路の両側にそれぞれ読取手段を備えることにより、ＡＤＦを用いて両面読取が可能に構成された画像形成装置では、制御部に表面読取用と、裏面読取用と、記録用と、通信用との４つのハードコーデックが実装されており、本発明によれば、このタイプの画像形成装置の場合にも、４つのハードコーデックを３つに削減することができる。
【０１０８】
以下、この３つのハードコーデックを備えた画像形成装置について説明すると、該画像形成装置の制御部には、エンコード処理及びデコード処理を行う３つのハードコーデックが実装され、ＲＯＭにソフトウェアの実行によってエンコード処理及びデコード処理を行うソフトコーデックが格納されている。また、ＲＡＭには、画像形成装置におけるコピー処理と、ファクシミリ通信処理との各処理と、使用するコーデックとを関連付けた複数の使用パターンを記憶する記憶手段が格納されて、該使用パターンは画像形成装置の操作部に配置された使用パターン選択キーの操作により、設定が可能に構成されている。さらに、制御部のＲＯＭには使用パターン選択キーの操作による選択結果に基づいて前記記憶手段の使用パターンを参照することにより使用するコーデックを決定する制御プログラムが格納されている。
【０１０９】
具体的には、前記記憶手段には、▲１▼１つのハードコーデックを通信用として設定し、２つ目及び３つ目のハードコーデックを読取／記録用として設定する、第１の使用パターンと、▲２▼ソフトコーデックを通信用として、３つのハードコーデックを、１つは表面読取用として、もう１つは裏面読取用として、残りの１つは記録用として設定する、第２の使用パターンとが格納されている。
さらに、記憶手段に上記２つの使用パターン以外の使用パターンを格納してもよく、記憶手段に格納する使用パターンは特に限定はないしないものとする。
【０１１０】
そして、使用パターン選択キーの操作により表示部には、例えば、「ファクシミリ機能を優先するか、コピー機能を優先するか？」などと表示されて、「ファクシミリ機能を優先する」を選択すれば、第１の使用パターンに設定され、「コピー機能を優先する」を選択すれば、第２の使用パターンに設定されるように構成されている。
なお、本実施例では、使用パターンを切り替える切替手段を操作部上の使用パターン選択キーで構成しているが、該切替手段は他の構成であってもよく、特に限定はしない。
【０１１１】
以上のような構成で、表面読取用、裏面読取用、記録用、通信用の４つのハードコーデックが実装されていた画像形成装置については、３つのハードコーデックに削減することができ、コストの削減を図ることができるとともに、ソフトコーデックと、該３つのハードコーデックとを有効に活用して、ユーザの使用状況に合わせてコピー動作とファクシミリ通信動作とを効率良く実行することができる。
【０１１２】
なお、ハードコーデックが５つ以上実装された画像形成装置についての記載は省略するが、これらハードコーデックが５つ以上実装される画像形成装置についても、前記同様に、ハードコーデックの実装数が削減されて、コストの削減が図られるとともに、ソフトコーデックと、少ないハードコーデックとを有効に活用して、ユーザの使用状況に合わせてコピー動作とファクシミリ通信動作とを効率良く実行することができる。
以上、本発明の画像形成装置の一実施の形態である。
【０１１３】
【発明の効果】
本発明は、以上のように構成したので、次に示すような効果を奏する。
まず、請求項１の発明では、ハードコーデックの実装数を削減して、コストの削減が図られるとともに、ソフトコーデックと、少ないハードコーデックとを有効に活用し、ユーザの使用状況に合わせてコピー動作とファクシミリ通信動作とを効率良く実行することができ、ユーザの使用状況に合わせてフレキシブルに対応できる廉価な画像形成装置が提供される。
【０１１４】
請求項２の発明では、少ないハードコーデックにより、ファクシミリ機能を優先した仕様に設定することができ、特にファクシミリの送受信において、画像形成装置を効率良く使用することができる。
【０１１５】
請求項３の発明では、ソフトコーデックと、少ないハードコーデックとを組み合わせて有効に活用し、コピー機能を優先した仕様に設定することができ、特にコピー処理において、画像形成装置を効率良く使用することができる。
【０１１６】
請求項４の発明では、回線の接続状態を中断することなしに、全ての受信画情報をコピー処理に優先して記録していき、受信内容をいち早く確認することができる。また、排出トレイには、受信画情報を記録した記録紙の上から、コピー原稿を記録した記録紙が排出されて、該受信画情報を記録した記録紙と、該コピー原稿を記録した記録紙とが入り混じることはない。
【０１１７】
請求項５の発明では、回線の接続状態を中断することなく、一方のハードコーデックで受信・蓄積は継続して行うとともに、他方のハードコーデックによる受信画情報の記録については一旦中断して、該他方のハードコーデックによりコピー処理（読取り及び記録）を優先的に行うことができる。また、コピー要求が発生した際、直ちに他方のハードコーデックによる受信画情報のファクシミリ記録を中断するのではなく、そのときにファクシミリ記録している頁（ページ）が終了してから中断することにより、受信画情報を不完全に記録した記録紙の発生を防止することができる。
【０１１８】
請求項６の発明では、回線の接続状態を中断することなしに、受信画情報をコピー処理に優先して記録していき、受信内容をいち早く確認することができるとともに、受信完了後のコピー処理についても、２つのハードコーデックを用いて行うため、処理速度が向上する。
【０１１９】
請求項７の発明では、ファクシミリ送信を中断することなく、迅速にファクシミリ送信が行え、ファクシミリ送信料を削減することができる。
【０１２０】
請求項８の発明では、他方のハードコーデックによるコピー読取り及びコピー記録は中断することなく、コピー処理（読取り及び記録）を迅速に行えるとともに、ファクシミリ受信の相手先（発信元）に着信（回線閉結）するまで長時間待たせることがなく、該相手先が負担するファクシミリ送信料を低減することができる。
【０１２１】
請求項９の発明では、回線の接続状態を中断することなしに、全ての受信画情報をコピー処理に優先して記録していき、受信内容をいち早く確認することができる。また、排出トレイには、受信画情報を記録した記録紙の上から、コピー原稿を記録した記録紙が排出されて、該受信画情報を記録した記録紙と、該コピー原稿を記録した記録紙とが入り混じることはない。
【０１２２】
請求項１０の発明では、回線の接続状態を中断することなく、ソフトコーデックで受信・蓄積は継続して行うとともに、他方のハードコーデックによる受信画情報の記録については一旦中断して、一方のハードコーデックと該他方のハードコーデックとによりコピー処理（読取り及び記録）を迅速に行うことができる。また、コピー要求が発生した際、直ちに他方のハードコーデックによる受信画情報のファクシミリ記録を中断するのではなく、そのときにファクシミリ記録している頁（ページ）が終了してから中断することにより、受信画情報を不完全に記録した記録紙の発生を防止することができる。
【０１２３】
請求項１１の発明では、ファクシミリ送信を中断することなく、迅速にファクシミリ送信が行え、ファクシミリ送信料を削減することができる。
【０１２４】
請求項１２の発明では、一方のハードコーデックによるコピー読取りと、他方のハードコーデックによるコピー記録とは中断することなく、ファクシミリ受信での符号変換のみ先行して行い、コピー処理完了後に、受信画情報の記録を行うことにより、コピー処理を迅速に行えるとともに、ファクシミリ受信の相手先（発信元）に着信（回線閉結）するまで長時間待たせることがなく、該相手先が負担するファクシミリ送信料を低減することができる。
【図面の簡単な説明】
【図１】複合機１の制御構成を示すブロック図。
【図２】複合機１の使用パターンを説明する表。
【図３】第１の使用パターンに設定された複合機１でのファクシミリ受信処理を説明するフローチャート。
【図４】同じくファクシミリ送信処理を説明するフローチャート。
【図５】同じくコピー処理を説明するフローチャート。
【図６】第２の使用パターンに設定された複合機１でのファクシミリ受信処理を説明するフローチャート。
【図７】同じくファクシミリ送信処理を説明するフローチャート。
【図８】同じくコピー処理を説明するフローチャート。
【符号の説明】
１    複合機
２    操作部
３    画像読取部
４    画像記録部
１０    ＣＰＵ
１２    ＲＯＭ
１２ａ  ソフトコーデック
１３    ＲＡＭ
１３ａ  記憶手段
１５Ａ  ハードコーデック
１５Ｂ  ハードコーデック
【図１】
2004153769.tif 000003
【図２】
2004153769.tif 000004
【図３】
2004153769.tif 000005
【図４】
2004153769.tif 000006
【図５】
2004153769.tif 000007
【図６】
2004153769.tif 000008
【図７】
2004153769.tif 000009
【図８】
2004153769.tif 000010